(57)【要約】【課題】所望位置にカーソル表示を容易に位置させる。【解決手段】規定の操作が行われたときに、カーソル１３の位置に対応付けられた時間範囲内の波形Ｗ１ａ，Ｗ２ａを時間軸方向に拡大した信号波形Ｗ１ｂ，Ｗ２ｂを表示する拡大波形表示画面１２を、波形Ｗ１ａ，Ｗ２ａにおいてカーソル１３によって指定された一点と、波形Ｗ１ａ，Ｗ２ａにおいて指定された一点に対応する波形Ｗ１ｂ，Ｗ２ｂの一点とがカーソル１３上で重なるように、波形Ｗ１ａ，Ｗ２ａの一部に重ねて画面１１に表示させると共に、スクロール表示処理の実行を指示されたときには、波形Ｗ１ａ，Ｗ２ａにおいてカーソル１３によって指定される一点と、波形Ｗ１ａ，Ｗ２ａにおいて指定される一点に対応する波形Ｗ１ｂ，Ｗ２ｂの一点とがカーソル１３上で重なった状態を維持しつつ、波形Ｗ１ａ，Ｗ２ａおよび画面１２と、カーソル１３との少なくとも一方を他方に対してスクロールさせる。【選択図】図３
2014010036.tif 000002
【特許請求の範囲】
【請求項１】
波形データに基づく信号波形を波形表示画面に表示させ、かつ当該波形における任意の一点を指定するためのカーソル表示を当該信号波形に重ねて当該波形表示画面に表示させると共に、前記信号波形および前記カーソル表示の少なくとも一方を他方に対して相対的にスクロールさせるスクロール表示処理と、前記カーソル表示の表示位置に対応付けられた時間範囲内の前記信号波形を時間軸方向に拡大して前記波形表示画面に表示させる拡大表示処理とを実行する処理部を備えた波形表示装置であって、
前記処理部は、前記時間軸方向の表示倍率が倍率Ａの信号波形Ａを前記信号波形として前記カーソル表示と共に前記波形表示画面に表示させている状態において予め規定された第１の操作が行われたときに、当該カーソル表示の表示位置に対応付けられた第１の時間範囲内の当該信号波形Ａを当該倍率Ａよりも大きな倍率Ｂの表示倍率で当該時間軸方向に拡大した信号波形Ｂを前記信号波形として表示する拡大波形表示画面を、当該信号波形Ａにおいて当該カーソル表示によって指定された一点と当該信号波形Ａにおいて指定された一点に対応する当該信号波形Ｂの一点とが当該カーソル表示の表示位置において重なるように、当該信号波形Ａの一部に重ねて当該波形表示画面に表示させる部分拡大表示処理を前記拡大表示処理として実行すると共に、前記拡大波形表示画面を前記信号波形Ａに重ねて前記波形表示画面に表示させている状態において前記スクロール表示処理の実行を指示されたときに、当該信号波形Ａにおいて当該カーソル表示によって指定される一点と当該信号波形Ａにおいて指定される一点に対応する当該信号波形Ｂの一点とが当該カーソル表示の表示位置において重なった状態を維持しつつ、当該信号波形Ａおよび当該拡大波形表示画面内の前記信号波形Ｂと、当該カーソル表示との少なくとも一方を他方に対してスクロールさせる波形表示装置。
【請求項２】
前記処理部は、前記部分拡大表示処理に際して、前記拡大波形表示画面と重なる時間範囲内の前記信号波形Ａを当該拡大波形表示画面内の前記信号波形Ｂと識別可能に表示する第１の表示態様、および前記拡大波形表示画面と重なる時間範囲内の前記信号波形Ａを非表示とする第２の表示態様のいずれかと、前記拡大波形表示画面と重なる時間範囲内の前記信号波形Ａを当該拡大波形表示画面内の前記信号波形Ｂと同じ表示態様で表示する第３の表示態様とのいずれか指定された一方で当該拡大波形表示画面を当該波形表示画面に表示させる請求項１記載の波形表示装置。
【請求項３】
前記処理部は、前記部分拡大表示処理によってＮ個（Ｎは、２以上の自然数）の前記信号波形Ｂを表示する前記拡大波形表示画面をＮ個の前記信号波形Ａの一部に重ねて前記波形表示画面に表示させている状態において予め規定された第２の操作によって当該Ｎ個の信号波形ＢのうちのＭ個（Ｍは、（Ｎ−１）以下の自然数）が選択されたときに、当該Ｎ個の信号波形Ｂのうちの当該Ｍ個の信号波形Ｂを除く当該信号波形Ｂを非表示とする請求項１または２記載の波形表示装置。
【請求項４】
波形データに基づく信号波形を波形表示画面に表示させ、かつ当該波形における任意の一点を指定するためのカーソル表示を当該信号波形に重ねて当該波形表示画面に表示させると共に、前記信号波形および前記カーソル表示の少なくとも一方を他方に対して相対的にスクロールさせるスクロール表示処理と、前記カーソル表示の表示位置に対応付けられた時間範囲内の前記信号波形を時間軸方向に拡大して前記波形表示画面に表示させる拡大表示処理とを実行する波形表示方法であって、
前記時間軸方向の表示倍率が倍率Ａの信号波形Ａを前記信号波形として前記カーソル表示と共に前記波形表示画面に表示させている状態において予め規定された第１の操作が行われたときに、当該カーソル表示の表示位置に対応付けられた第１の時間範囲内の当該信号波形Ａを当該倍率Ａよりも大きな倍率Ｂの表示倍率で当該時間軸方向に拡大した信号波形Ｂを前記信号波形として表示する拡大波形表示画面を、当該信号波形Ａにおいて当該カーソル表示によって指定された一点と当該信号波形Ａにおいて指定された一点に対応する当該信号波形Ｂの一点とが当該カーソル表示の表示位置において重なるように、当該信号波形Ａの一部に重ねて当該波形表示画面に表示させる部分拡大表示処理を前記拡大表示処理として実行すると共に、前記拡大波形表示画面を前記信号波形Ａに重ねて前記波形表示画面に表示させている状態において前記スクロール表示処理の実行を指示されたときに、当該信号波形Ａにおいて当該カーソル表示によって指定される一点と当該信号波形Ａにおいて指定される一点に対応する当該信号波形Ｂの一点とが当該カーソル表示の表示位置において重なった状態を維持しつつ、当該信号波形Ａおよび当該拡大波形表示画面内の前記信号波形Ｂと、当該カーソル表示との少なくとも一方を他方に対してスクロールさせる波形表示方法。
【発明の詳細な説明】
【技術分野】
【０００１】
本発明は、波形表示画面に信号波形を表示させる波形表示装置および波形表示方法に関するものである。
【背景技術】
【０００２】
この種の波形表示装置および波形表示方法として、出願人は、特開平５−５７５４号公報に波形記録計、および波形記録計による波形の表示方法を開示している。この波形記録計は、アナログ入力信号をデジタル信号に変換するＡ／Ｄ変換部と、変換されたデジタル信号を記憶するストレージメモリと、ストレージメモリに記憶されている波形データに基づく信号波形をＣＲＴに表示させるＣＰＵとを備えて構成されている。また、この波形記録計では、信号波形における任意の一点を指定するためのラインカーソルが信号波形に重なってＣＲＴに表示される構成が採用されている。この場合、この種の波形記録計（波形表示装置）では、ラインカーソルによって指定する信号波形の任意の一点を変更するときに、予め規定されたスクロール操作を行うことにより、信号波形およびラインカーソル（カーソル表示）の一方が他方に対して時間軸方向に相対的に移動して表示される構成が採用されている。また、この種の波形記録計（波形表示装置）では、予め規定された波形拡大操作（例えば、時間軸方向の拡大率を変更する操作）を行うことにより、ラインカーソルによって指定されている任意の一点を含む所定の時間範囲内の信号波形が時間軸方向に拡大されて表示される構成が採用されている。
【先行技術文献】
【特許文献】
【０００３】
【特許文献１】特開平５−５７５４号公報（第２−３頁、第１−５図）
【発明の概要】
【発明が解決しようとする課題】
【０００４】
ところが、従来の波形記録計には、以下の改善すべき課題が存在する。すなわち、従来の波形記録計では、信号波形における任意の一点を指定するためのラインカーソルが信号波形に重なって表示されると共に、予め規定された波形拡大操作が行われたときに、ラインカーソルによって指定されている任意の一点を含む所定の時間範囲内の信号波形が時間軸方向に拡大されて表示される構成が採用されている。この場合、この種の波形記録計において信号波形における任意の時間範囲を拡大して表示させるときには、ある程度小さな表示倍率で信号波形を表示させることで十分に広い時間範囲内の信号波形を表示させた状態において、所望の時間範囲を指定可能な位置にラインカーソルが位置するように、スクロール操作によって信号波形およびラインカーソルの一方を他方に対してスクロールさせ、その状態において波形拡大操作を行うことで、ラインカーソルの表示位置に対応付けられた時間範囲内の信号波形を拡大して表示させるといった作業が一般的に行われる。
【０００５】
しかしながら、例えば、ある程度短い周期で同様のレベル変化が繰り返されていた入力信号の信号波形（同様の波形が時間軸方向に複数並んだ信号波形）を表示させている状態において所望の時間範囲内の信号波形を拡大して表示させるときに、小さな表示倍率で信号波形を表示させた状態（広い時間範囲内の信号波形を表示させた状態）では、表示されている信号波形のうちの特異な波形の部位を視覚的に特定するのが困難となる。したがって、上記のスクロール操作において拡大して表示させるべき特異な波形を含む時間範囲とは異なる時間範囲を指定する位置にラインカーソルを位置させてしまうことがある。かかる場合には、波形拡大操作を行って所望の時間範囲ではない時間範囲内の信号波形が拡大されて表示されたと認識したときに、再び小さな表示倍率で信号波形を表示させて、拡大表示させるべき信号波形の時間範囲を指定し直す作業が必要となる。
【０００６】
一方、特異な波形の部位を視覚的に特定するのを容易とするために、拡大して表示させるべき信号波形の時間範囲の指定に際して、ある程度大きな表示倍率で信号波形を表示させたときには、表示部（ＣＲＴ）に表示される信号波形の時間範囲が狭くなることに起因して、特異な波形の部位が表示部に表示されない状態となることがある。この際には、スクロール操作によって、特異な波形の部位を表示部に表示させ、その後に、拡大して表示させるべき任意の時間範囲を指定する位置にラインカーソルを位置させるようにスクロール操作することとなるが、表示部（ＣＲＴ）に表示される信号波形の時間範囲が狭いことに起因して、特異な波形の部位を表示部に表示させるまでに、ある程度長い時間に亘ってスクロール操作を継続して実行する必要が生じる。このように、この種の波形記録計では、信号波形において拡大して表示させるべき部位を指定する際に、所望の位置にラインカーソル（カーソル表示）を位置させるスクロール操作が煩雑となっているのが現状であり、この点を改善するのが好ましい。
【０００７】
本発明は、かかる課題に鑑みてなされたものであり、信号波形における所望の位置にカーソル表示を容易に位置させ得る波形表示装置および波形表示方法を提供することを主目的とする。
【課題を解決するための手段】
【０００８】
上記目的を達成すべく請求項１記載の波形表示装置は、波形データに基づく信号波形を波形表示画面に表示させ、かつ当該波形における任意の一点を指定するためのカーソル表示を当該信号波形に重ねて当該波形表示画面に表示させると共に、前記信号波形および前記カーソル表示の少なくとも一方を他方に対して相対的にスクロールさせるスクロール表示処理と、前記カーソル表示の表示位置に対応付けられた時間範囲内の前記信号波形を時間軸方向に拡大して前記波形表示画面に表示させる拡大表示処理とを実行する処理部を備えた波形表示装置であって、前記処理部は、前記時間軸方向の表示倍率が倍率Ａの信号波形Ａを前記信号波形として前記カーソル表示と共に前記波形表示画面に表示させている状態において予め規定された第１の操作が行われたときに、当該カーソル表示の表示位置に対応付けられた第１の時間範囲内の当該信号波形Ａを当該倍率Ａよりも大きな倍率Ｂの表示倍率で当該時間軸方向に拡大した信号波形Ｂを前記信号波形として表示する拡大波形表示画面を、当該信号波形Ａにおいて当該カーソル表示によって指定された一点と当該信号波形Ａにおいて指定された一点に対応する当該信号波形Ｂの一点とが当該カーソル表示の表示位置において重なるように、当該信号波形Ａの一部に重ねて当該波形表示画面に表示させる部分拡大表示処理を前記拡大表示処理として実行すると共に、前記拡大波形表示画面を前記信号波形Ａに重ねて前記波形表示画面に表示させている状態において前記スクロール表示処理の実行を指示されたときに、当該信号波形Ａにおいて当該カーソル表示によって指定される一点と当該信号波形Ａにおいて指定される一点に対応する当該信号波形Ｂの一点とが当該カーソル表示の表示位置において重なった状態を維持しつつ、当該信号波形Ａおよび当該拡大波形表示画面内の前記信号波形Ｂと、当該カーソル表示との少なくとも一方を他方に対してスクロールさせる。
【０００９】
また、請求項２記載の波形表示装置は、請求項１記載の波形表示装置において、前記処理部は、前記部分拡大表示処理に際して、前記拡大波形表示画面と重なる時間範囲内の前記信号波形Ａを当該拡大波形表示画面内の前記信号波形Ｂと識別可能に表示する第１の表示態様、および前記拡大波形表示画面と重なる時間範囲内の前記信号波形Ａを非表示とする第２の表示態様のいずれかと、前記拡大波形表示画面と重なる時間範囲内の前記信号波形Ａを当該拡大波形表示画面内の前記信号波形Ｂと同じ表示態様で表示する第３の表示態様とのいずれか指定された一方で当該拡大波形表示画面を当該波形表示画面に表示させる。
【００１０】
さらに、請求項３記載の波形表示装置は、請求項１または２記載の波形表示装置において、前記処理部は、前記部分拡大表示処理によってＮ個（Ｎは、２以上の自然数）の前記信号波形Ｂを表示する前記拡大波形表示画面をＮ個の前記信号波形Ａの一部に重ねて前記波形表示画面に表示させている状態において予め規定された第２の操作によって当該Ｎ個の信号波形ＢのうちのＭ個（Ｍは、（Ｎ−１）以下の自然数）が選択されたときに、当該Ｎ個の信号波形Ｂのうちの当該Ｍ個の信号波形Ｂを除く当該信号波形Ｂを非表示とする。
【００１１】
また、請求項４記載の波形表示方法は、波形データに基づく信号波形を波形表示画面に表示させ、かつ当該波形における任意の一点を指定するためのカーソル表示を当該信号波形に重ねて当該波形表示画面に表示させると共に、前記信号波形および前記カーソル表示の少なくとも一方を他方に対して相対的にスクロールさせるスクロール表示処理と、前記カーソル表示の表示位置に対応付けられた時間範囲内の前記信号波形を時間軸方向に拡大して前記波形表示画面に表示させる拡大表示処理とを実行する波形表示方法であって、前記時間軸方向の表示倍率が倍率Ａの信号波形Ａを前記信号波形として前記カーソル表示と共に前記波形表示画面に表示させている状態において予め規定された第１の操作が行われたときに、当該カーソル表示の表示位置に対応付けられた第１の時間範囲内の当該信号波形Ａを当該倍率Ａよりも大きな倍率Ｂの表示倍率で当該時間軸方向に拡大した信号波形Ｂを前記信号波形として表示する拡大波形表示画面を、当該信号波形Ａにおいて当該カーソル表示によって指定された一点と当該信号波形Ａにおいて指定された一点に対応する当該信号波形Ｂの一点とが当該カーソル表示の表示位置において重なるように、当該信号波形Ａの一部に重ねて当該波形表示画面に表示させる部分拡大表示処理を前記拡大表示処理として実行すると共に、前記拡大波形表示画面を前記信号波形Ａに重ねて前記波形表示画面に表示させている状態において前記スクロール表示処理の実行を指示されたときに、当該信号波形Ａにおいて当該カーソル表示によって指定される一点と当該信号波形Ａにおいて指定される一点に対応する当該信号波形Ｂの一点とが当該カーソル表示の表示位置において重なった状態を維持しつつ、当該信号波形Ａおよび当該拡大波形表示画面内の前記信号波形Ｂと、当該カーソル表示との少なくとも一方を他方に対してスクロールさせる。
【発明の効果】
【００１２】
請求項１記載の波形表示装置、および請求項４記載の波形表示方法では、信号波形Ａをカーソル表示と共に波形表示画面に表示させている状態において第１の操作が行われたときに、信号波形Ｂを表示する拡大波形表示画面を、信号波形Ａにおいてカーソル表示によって指定された一点と信号波形Ａにおいて指定された一点に対応する信号波形Ｂの一点とがカーソル表示の表示位置において重なるように、信号波形Ａの一部に重ねて波形表示画面に表示させる部分拡大表示処理を拡大表示処理として実行すると共に、拡大波形表示画面を信号波形Ａに重ねて表示させている状態においてスクロール表示処理の実行を指示されたときに、信号波形Ａにおいてカーソル表示によって指定される一点と信号波形Ａにおいて指定される一点に対応する信号波形Ｂの一点とがカーソル表示の表示位置において重なる状態を維持しつつ、信号波形Ａ、および拡大波形表示画面内の信号波形Ｂと、カーソル表示との少なくとも一方を他方に対してスクロールさせる。
【００１３】
したがって、請求項１記載の波形表示装置、および請求項４記載の波形表示方法によれば、カーソル表示を移動させるときに、波形表示画面内に拡大波形表示画面を表示させた状態において、波形表示画面内に表示されている比較的小さな表示倍率の信号波形Ａを参照しつつ、カーソル表示を所望の位置に近づけるスクロール操作を行い、続いて、拡大波形表示画面内に表示される信号波形Ｂを参照しつつ、カーソル表示を所望の位置に位置させるスクロール操作を行うことで、この種の装置の操作に不慣れな利用者であっても、カーソル表示を所望の位置に正確かつ容易に位置させることができると共に、波形表示画面の全域に信号波形を拡大して表示させなくても、拡大波形表示画面内に拡大して表示されている信号波形Ｂを見て波形データの基となる入力信号のレベル変化を容易に観察することができる。
【００１４】
また、請求項２記載の波形表示装置によれば、部分拡大表示処理に際して、第１の表示態様および第２の表示態様のいずれかと、第３の表示態様とのいずれか指定された一方で拡大波形表示画面を波形表示画面に表示させることにより、必要に応じて第１の表示態様または第２の表示態様を採用することで、拡大波形表示画面内の信号波形Ｂの視認性を十分に向上させることができる。
【００１５】
さらに、請求項３記載の波形表示装置によれば、Ｎ個の信号波形Ｂを表示する拡大波形表示画面をＮ個の信号波形Ａの一部に重ねて波形表示画面に表示させている状態において、第２の操作によってＮ個の信号波形ＢのうちのＭ個が選択されたときに、Ｎ個の信号波形ＢのうちのＭ個の信号波形Ｂを除く信号波形Ｂを非表示とすることにより、Ｎ個の信号波形ＢのうちのいずれかＭ個を詳細に観察したいときに、他の波形が、Ｍ個の波形の視認性を低下させている場合には、観察すべきＭ個の波形を選択することで、そのＭ個の波形の視認性を十分に向上させることができる。
【図面の簡単な説明】
【００１６】
【図１】波形表示装置１の構成を示す構成図である。
【図２】信号波形Ｗ１ａ，Ｗ２ａおよびカーソル表示１３を波形表示画面１１内に表示させた状態の表示画面図である。
【図３】信号波形Ｗ１ａ，Ｗ２ａの一部に拡大波形表示画面１２（信号波形Ｗ１ｂ，Ｗ２ｂ）を重ねて波形表示画面１１内に表示させた状態の表示画面図である。
【図４】図３に示す状態のカーソル表示１３を矢印Ｒの向きにスクロールさせた状態の表示画面図である。
【図５】拡大波形表示画面１２と重なる部位の信号波形Ｗ１ａ，Ｗ２ａを非表示とした状態の表示画面図である。
【図６】図５に示す波形表示画面１１において拡大波形表示画面１２内の信号波形Ｗ１ｂを非表示とした状態の表示画面図である。
【図７】信号波形Ｗ１ａ，Ｗ１ｂを他の表示倍率で表示させた状態の表示画面図である。
【発明を実施するための形態】
【００１７】
以下、波形表示装置および波形表示方法の実施の形態について、添付図面を参照して説明する。
【００１８】
図１に示す波形表示装置１は、測定部２、操作部３、表示部４、制御部５および記憶部６を備え、後述する波形表示方法に従って表示部４に信号波形Ｗ１ａ，Ｗ２ａ，Ｗ１ｂ，Ｗ２ｂ（図３参照：以下、区別しないときには「信号波形Ｗ」ともいう）などを表示可能に構成されている。測定部２は、制御部５の制御に従い、予め規定された物理量（一例として、入力信号Ｓｉ１，Ｓｉ２についての電流値や電圧値：電気的パラメータ）を測定して測定データＤ１，Ｄ２（「波形データ」の一例）を生成し、生成した測定データＤ１，Ｄ２を制御部５に出力する。操作部３は、波形表示装置１の動作条件を設定するための各種操作スイッチを備え、スイッチ操作に応じた操作信号を制御部５に出力する。表示部４は、一例として液晶表示パネルを備えて構成されて、制御部５から出力される表示用データに基づき、波形表示装置１の動作条件を設定するための動作条件設定画面（図示せず）や、信号波形Ｗを表示する波形表示画面１１（図２参照）などを表示する。
【００１９】
制御部５は、「処理部」に相当し、波形表示装置１を総括的に制御する。具体的には、制御部５は、操作部３からの操作信号に応じて測定部２を制御して入力信号Ｓｉ１，Ｓｉ２についての測定処理（入力信号Ｓｉ１の測定データＤ１、および入力信号Ｓｉ２の測定データＤ２を生成する処理）を実行させる。また、制御部５は、測定部２から出力される測定データＤ１，Ｄ２を記憶部６に記憶させると共に、その測定データＤ１，Ｄ２に基づいて信号波形Ｗを表示させるための表示用データを生成して表示部４に出力することで波形表示画面１１内に信号波形Ｗを表示させる。さらに、制御部５は、波形表示画面１１（信号波形Ｗおよびカーソル表示１３）を表示部４に表示させている状態において、後述するスクロール操作が行われたときに、信号波形Ｗおよび／またはカーソル表示１３を時間軸方向にスクロールさせるスクロール表示処理を実行する。
【００２０】
具体的には、例えば、図２に示すように波形表示画面１１を表示部４に表示させている状態において、スクロール操作が行われたときには、操作の内容に応じて、カーソル表示１３だけを時間軸方向（この例では、図２に示す矢印Ｌ，Ｒの向き）にスクロールさせるカーソルスクロール表示処理（「スクロール表示処理」の一例）、信号波形Ｗ１ａ，Ｗ２ａだけを時間軸方向にスクロールさせる波形スクロール表示処理（「スクロール表示処理」の他の一例）、および信号波形Ｗ１ａ，Ｗ２ａおよびカーソル表示１３の双方を時間軸方向にスクロールさせる波形カーソルスクロール表示処理（「スクロール表示処理」のさらに他の一例）を実行する。また、制御部５は、図２に示すように波形表示画面１１を表示部４に表示させている状態において、後述する拡大表示操作が行われたときに、カーソル表示１３の表示位置に対応付けられた時間範囲内の信号波形Ｗ１ａ，Ｗ２ａを時間軸方向に拡大して波形表示画面１１に表示させる拡大表示処理を実行する。記憶部６は、制御部５の動作プログラムや測定データＤ１，Ｄ２などを記憶する。
【００２１】
次に、波形表示装置１による信号波形Ｗの表示処理（波形表示方法）について、添付図面を参照して説明する。
【００２２】
この波形表示装置１では、一例として、操作部３の測定開始スイッチが操作されたときに、制御部５が、予め設定された測定条件に従い、測定部２を制御して測定処理を開始させる。この際に、測定部２は、入力信号Ｓｉ１，Ｓｉ２をそれぞれデジタル変換して測定データＤ１，Ｄ２を生成すると共に、生成した測定データＤ１，Ｄ２を制御部５に出力する。これに応じて、制御部５は、測定部２から出力された測定データＤ１，Ｄ２を記憶部６に順次記憶させる。また、操作部３の測定終了スイッチが操作されたときに、制御部５は、測定部２を制御して測定処理を終了させる。これにより、測定部２によって生成された所定時間分の測定データＤ１，Ｄ２が記憶部６に記憶される。なお、この波形表示装置１では、上記の測定処理と並行して測定データＤ１，Ｄ２に基づく信号波形Ｗを表示部４に表示させることもできるが、「スクロール表示処理」や「拡大表示処理」についての理解を容易とするために、以下、記憶部６に記憶されている測定データＤ１，Ｄ２に基づく信号波形Ｗを表示部４に表示させる際の処理について説明する。
【００２３】
具体的には、記憶部６に所定時間分の測定データＤ１，Ｄ２が記憶されている状態において、波形表示画面１１を表示させる操作が行われたときに、制御部５は、記憶部６から測定データＤ１，Ｄ２を読み出し、図２に示すように測定データＤ１に基づく信号波形Ｗ１ａ、および測定データＤ２に基づく信号波形Ｗ２ａを予め規定された表示倍率で波形表示画面１１内に表示させる。なお、この例では、信号波形Ｗ１ａ，Ｗ２ａが「時間軸方向の表示倍率が倍率Ａの信号波形Ａ」に相当すると共に、一例として、波形表示画面１１内に２６０ｍ秒分の信号波形Ｗ１ａ，Ｗ２ａが表示されるように設定されている。この波形表示画面１１では、信号波形Ｗ１ａ，Ｗ２ａに重なってカーソル表示１３が表示されると共に（「信号波形Ａをカーソル表示と共に波形表示画面に表示させている状態」の一例）、スクロールバー１４およびスライダ１４ａが波形表示画面１１の下方に表示されている。この場合、スクロールバー１４は、その左右方向の長さが記憶部６に記憶されている測定データＤ１，Ｄ２の全体（測定データＤ１，Ｄ２に対応する全測定時間）に対応し、スライダ１４ａは、測定データＤ１，Ｄ２の全体に占める「波形表示画面１１に表示されている信号波形Ｗ１ａ，Ｗ２ａの時間範囲」の長さおよびその位置に対応させられている。
【００２４】
また、この波形表示装置１では、一例として、操作部３のカーソル移動キー（図示せず）が単独で操作されたときに、上記のカーソルスクロール表示処理が実行されてカーソル表示１３だけが矢印Ｌ，Ｒの向き（時間軸方向）にスクロールされ、操作部３のファンクションキー（図示せず）が操作された状態においてカーソル移動キーが操作されたときに、上記の波形カーソルスクロール表示処理が実行されて信号波形Ｗ１ａ，Ｗ２ａおよびカーソル表示１３が矢印Ｌ，Ｒの向き（時間軸方向）にスクロールされ、スライダ１４ａが選択された状態においてカーソル移動キーが操作されたときに、上記の波形スクロール表示処理が実行されて信号波形Ｗ１ａ，Ｗ２ａだけが矢印Ｌ，Ｒの向き（時間軸方向）にスクロールされる。
【００２５】
したがって、例えば、信号波形Ｗ１ａ，Ｗ２ａにおいて「特異なレベル変化が生じている部位（特異な波形）」を詳細に観察するとき（信号波形Ｗ１ａ，Ｗ２ａにおける任意の時間範囲を拡大して表示させるとき）に、「特異な波形の部位らしき波形」が波形表示画面１１内に表示されて、その波形の部位からカーソル表示１３が遠く離れて表示されている場合には、カーソル移動キーを単独で操作してカーソル表示１３を矢印Ｒまたは矢印Ｌの向きにスクロールさせることにより、「特異な波形の部位らしき波形」を選択可能な位置にカーソル表示１３を位置させる。また、「特異な波形の部位らしき波形」が波形表示画面１１内に表示されていない場合には、まず、スライダ１４ａを選択した状態においてカーソル移動キーを操作することにより、「特異な波形の部位らしき波形」が波形表示画面１１内に表示されるように信号波形Ｗ１ａ，Ｗ２ａを矢印Ｒまたは矢印Ｌの向きにスクロールさせ、その後に、カーソル表示１３を選択した状態においてカーソル移動キーを操作して、カーソル表示１３を矢印Ｒまたは矢印Ｌの向きにスクロールさせることにより、「特異な波形の部位らしき波形」を選択可能な位置にカーソル表示１３を位置させる。
【００２６】
次いで、操作部３を操作して「部分拡大表示処理」の開始を指示する（「予め規定された第１の操作が行われたときに」の一例）。この際に、制御部５は、図３に示すように、波形表示画面１１における信号波形Ｗ１ａ，Ｗ２ａに重ねて拡大波形表示画面１２を表示させる。この拡大波形表示画面１２は、カーソル表示１３の表示位置に対応付けられた「第１の時間範囲」内の信号波形Ｗ１ａ，Ｗ２ａを、予め設定された倍率（「倍率Ａよりも大きな倍率Ｂ」の一例）の表示倍率で時間軸方向に拡大した信号波形Ｗ１ｂ，Ｗ２ｂを表示するための画面であって、本例の波形表示装置１では、一例として、「倍率Ｂ」が「倍率Ａ」の４倍に規定されると共に、カーソル表示１３の表示位置に対応する時点以前の２５ｍ秒分とカーソル表示１３の表示位置に対応する時点以降の２５ｍ秒分とを合わせた５０ｍ秒が「第１の時間範囲」として設定されている。なお、この波形表示装置１では、上記の「倍率Ａ」に対する「倍率Ｂ」の大きさや、「第１の時間範囲」の長さについて、一例として、図示しない動作条件設定画面を表示させた状態において任意に変更することができるように構成されている。
【００２７】
また、この波形表示装置１では、「部分拡大表示処理」の開始を指示する以前に波形表示画面１１に表示されていた信号波形Ｗ１ａ，Ｗ２ａにおいてカーソル表示１３によって指定された一点と、信号波形Ｗ１ａ，Ｗ２ａにおいて指定された一点に対応する信号波形Ｗ１ｂ，Ｗ２ｂの一点とがカーソル表示１３の表示位置において重なるように、信号波形Ｗ１ａ，Ｗ２ａの一部に重ねて拡大波形表示画面１２を表示させる構成が採用されている。
【００２８】
さらに、この波形表示装置１では、拡大波形表示画面１２を表示させた直後においては、一例として、拡大波形表示画面１２と重なる時間範囲内の信号波形Ｗ１ａ，Ｗ２ａを拡大波形表示画面１２内の信号波形Ｗ１ｂ，Ｗ２ｂと識別可能に表示する（「第１の表示態様」の一例）構成が採用されている。具体的には、制御部５は、拡大波形表示画面１２と重なる時間範囲内の信号波形Ｗ１ａ，Ｗ２ａを、拡大波形表示画面１２内の信号波形Ｗ１ｂ，Ｗ２ｂや、拡大波形表示画面１２とは重なっていない時間範囲内の信号波形Ｗ１ａ，Ｗ１ｂよりも淡色で表示させることでこれらを識別可能に表示する。したがって、この波形表示装置１では、拡大波形表示画面１２（信号波形Ｗ１ｂ，Ｗ２ｂ）を表示させた状態においても、拡大波形表示画面１２が重なっている時間範囲内の信号波形Ｗ１ａ，Ｗ２ａを視認することができると共に、拡大波形表示画面１２が重なっている時間範囲内の信号波形Ｗ１ａ，Ｗ２ａによって拡大波形表示画面１２内の信号波形Ｗ１ｂ，Ｗ２ｂの視認性が大きく損なわれる事態が回避されている。
【００２９】
また、この波形表示装置１では、拡大波形表示画面１２を信号波形Ｗ１ａ，Ｗ２ａに重ねて波形表示画面１１に表示させている状態において、操作部３のカーソル移動キーが単独で操作されたとき（「スクロール表示処理の実行を指示されたとき」の一例）に、信号波形Ｗ１ａ，Ｗ２ａにおいてカーソル表示１３によって指定される一点と、信号波形Ｗ１ａ，Ｗ２ａにおいて指定される一点に対応する信号波形Ｗ１ｂ，Ｗ２ｂの一点とがカーソル表示１３の表示位置において重なった状態が維持されつつ、カーソル表示１３が時間軸方向にスクロール表示される（時間軸方向に移動する）構成が採用されている。具体的には、カーソル移動キーが単独で操作されたときに、制御部５は、信号波形Ｗ１ａ，Ｗ２ａの表示位置を変更せず（スクロールさせず）、カーソル表示１３および拡大波形表示画面１２を、操作されたカーソル移動キーの向き（矢印Ｌ，Ｒの向き）に移動させると共に、移動したカーソル表示１３によって指定される信号波形Ｗ１ａ，Ｗ２ａの一点に対応する信号波形Ｗ１ｂ，Ｗ２ｂの一点が拡大波形表示画面１２内でカーソル表示１３と重なるように、信号波形Ｗ１ｂ，Ｗ２ｂを、操作されたカーソル移動キーの向きとは逆向きに拡大波形表示画面１２内でスクロールさせる。
【００３０】
より具体的には、例えば、図３に示す状態において、カーソル表示１３を矢印Ｒの向きに移動させるカーソル移動キーが操作されたときに、制御部５は、図４に示すように、信号波形Ｗ１ａ，Ｗ２ａをスクロールさせず、カーソル表示１３および拡大波形表示画面１２を矢印Ｒの向きに移動させると共に、移動したカーソル表示１３によって指定される信号波形Ｗ１ａ，Ｗ２ａの一点に対応する信号波形Ｗ１ｂ，Ｗ２ｂの一点が拡大波形表示画面１２内でカーソル表示１３と重なるように、信号波形Ｗ１ｂ，Ｗ２ｂを拡大波形表示画面１２内において矢印Ｌの向きにスクロールさせる。これにより、拡大波形表示画面１２を表示させる以前に、「特異な波形の部位らしき波形」から離れた位置にカーソル表示１３が位置していたとしても、拡大波形表示画面１２内にスクロール表示される信号波形Ｗ１ｂ，Ｗ２ｂを見ながらカーソル移動キーを操作することで、例えば信号波形Ｗ１ａにおける特異な波形の部位を拡大した信号波形Ｗ１ｂを拡大波形表示画面１２内に表示させることができる。
【００３１】
一方、拡大波形表示画面１２を信号波形Ｗ１ａ，Ｗ２ａに重ねて波形表示画面１１に表示させている状態において、スライダ１４ａを選択した後にカーソル移動キーを操作したとき（「スクロール表示処理の実行を指示されたとき」の他の一例）に、制御部５は、カーソル表示１３の位置を変更せずに信号波形Ｗ１ａ，Ｗ２ａ、および拡大波形表示画面１２内の信号波形Ｗ１ｂ，Ｗ２ｂを操作されたカーソル移動キーの向きとは逆向き（矢印Ｌ，Ｒの向き）にスクロールさせる。この際には、波形表示画面１１内において同一の位置に表示され続けるカーソル表示１３に対して信号波形Ｗ１ａ，Ｗ２ａがスクロールされることで、信号波形Ｗ１ａ，Ｗ２ａにおいてカーソル表示１３によって指定される一点が変化するため、制御部５は、スクロールに伴ってカーソル表示１３によって指定される信号波形Ｗ１ａ，Ｗ２ａの一点に合わせて拡大波形表示画面１２内の信号波形Ｗ１ｂ，Ｗ２ｂを表示替えする。これにより、信号波形Ｗ１ａ，Ｗ２ａに対してカーソル表示１３および拡大波形表示画面１２（信号波形Ｗ１ｂ，Ｗ２ｂ）をスクロールさせたときと同様にして、信号波形Ｗ１ａ，Ｗ２ａにおける特異な波形の部位を拡大した信号波形Ｗ１ｂ，Ｗ２ｂを拡大波形表示画面１２内に容易に表示させることができる。
【００３２】
この場合、この波形表示装置１では、前述したように、拡大波形表示画面１２が重なっている時間範囲内の信号波形Ｗ１ａ，Ｗ２ａが拡大波形表示画面１２内の信号波形Ｗ１ｂ，Ｗ２ｂよりも淡色で表示されている。したがって、この信号波形Ｗ１ａ，Ｗ２ａが信号波形Ｗ１ｂ，Ｗ２ｂの視認性を妨げているときには、操作部３を操作することにより、図５に示すように、拡大波形表示画面１２が重なっている時間範囲内の信号波形Ｗ１ａ，Ｗ２ａを非表示とする（「第２の表示態様」の一例）。これにより、拡大波形表示画面１２内の信号波形Ｗ１ｂ，Ｗ２ｂの視認性を十分に向上させることができる。なお、図示を省略するが、この波形表示装置１では、拡大波形表示画面１２が重なっている時間範囲内の信号波形Ｗ１ａ，Ｗ２ａ、および拡大波形表示画面１２内の信号波形Ｗ１ｂ，Ｗ２ｂを同じ表示態様で表示させる（「第３の表示態様」の一例）こともできる。また、この波形表示装置１では、拡大波形表示画面１２が重なっている時間範囲内の波形を、上記の「第１の表示態様」および「第２の表示態様」のいずれで表示させるか、または、非表示とするかについて信号波形Ｗ１ａ，Ｗ２ａ毎に個別に設定することが可能となっている。
【００３３】
また、この波形表示装置１では、「部分拡大表示処理」によってＮ個（この例では、Ｎ＝２個）の信号波形Ｗ１ｂ，Ｗ２ｂを表示する拡大波形表示画面１２を信号波形Ｗ１ａ、Ｗ２ａの一部に重ねて波形表示画面１１に表示させている状態において、例えば操作部３の操作によって信号波形Ｗ２ｂが選択されたとき（「予め規定された第２の操作によってＭ個（この例では、Ｍ＝１個）の信号波形Ｂが選択されたとき」との状態の一例）に、図６に示すように、制御部５が、信号波形Ｗ１ｂ（「Ｍ個の信号波形Ｂを除く信号波形Ｂ」の一例）を非表示とする。これにより、選択された信号波形Ｗ２ｂの視認性が一層良好となる。
【００３４】
なお、同図では、拡大波形表示画面１２が重なっている時間範囲内の信号波形Ｗ１ａ，Ｗ２ａを非表示としている状態（「第２の表示態様」で表示している状態）で拡大波形表示画面１２内に信号波形Ｗ２ｂだけを表示させて信号波形Ｗ１ｂを非表示としているが、拡大波形表示画面１２が重なっている時間範囲内の信号波形Ｗ１ａ，Ｗ２ａを例えば淡色で表示させた状態（「第１の表示態様」で表示している状態）で拡大波形表示画面１２内に信号波形Ｗ２ｂだけを表示させることもできる。また、上記の例とは相違するが、例えば、信号波形Ｗ１ｂ，Ｗ２ｂのうちの選択されなかった一方（上記の例では、信号波形Ｗ１ｂ）を、選択された一方（上記の例では、信号波形Ｗ２ｂ）よりも淡色で表示させることで、信号波形Ｗ１ｂ，Ｗ２ｂを識別可能に表示させる構成を採用することもできる。
【００３５】
さらに、この波形表示装置１では、波形表示画面１１内に拡大波形表示画面１２が表示されている状態において、「全体拡大表示処理」の開始を指示する操作が行われたときに、図７に示すように、制御部５が、一例として、カーソル表示１３を波形表示画面１１における時間軸方向の中央部に表示させると共に、処理開始の指示以前に波形表示画面１１に表示されていた拡大波形表示画面１２内の信号波形Ｗ１ｂ，Ｗ２ｂを、新たな信号波形Ｗ１ａ，Ｗ２ａとして波形表示画面１１の時間軸方向の全体に表示させる。これにより、この例では、処理開始の指示以前に波形表示画面１１に表示されていた信号波形Ｗ１ａ，Ｗ２ａが、４倍の表示倍率で波形表示画面１１内に表示される。
【００３６】
このように、この波形表示装置１、および波形表示装置１による波形表示方法では、「倍率Ａ」の信号波形Ｗ１ａ，Ｗ２ａをカーソル表示１３と共に波形表示画面１１に表示させている状態において「第１の操作」が行われたときに、カーソル表示１３の表示位置に対応付けられた「第１の時間範囲」内の信号波形Ｗ１ａ，Ｗ２ａを「倍率Ｂ」で時間軸方向に拡大した信号波形Ｗ１ｂ，Ｗ２ｂを表示する拡大波形表示画面１２を、信号波形Ｗ１ａ，Ｗ２ａにおいてカーソル表示１３によって指定された一点と信号波形Ｗ１ａ，Ｗ２ａにおいて指定された一点に対応する信号波形Ｗ１ｂ，Ｗ２ｂの一点とがカーソル表示１３の表示位置において重なるように、信号波形Ｗ１ａ，Ｗ２ａの一部に重ねて波形表示画面１１に表示させる「部分拡大表示処理」を「拡大表示処理」として実行すると共に、拡大波形表示画面１２を信号波形Ｗ１ａ，Ｗ２ａに重ねて表示させている状態においてスクロール表示処理の実行を指示されたときに、信号波形Ｗ１ａ，Ｗ２ａにおいてカーソル表示１３によって指定される一点と信号波形Ｗ１ａ，Ｗ２ａにおいて指定される一点に対応する信号波形Ｗ１ｂ，Ｗ２ｂの一点とがカーソル表示１３の表示位置において重なる状態を維持しつつ、信号波形Ｗ１ａ，Ｗ２ａ、および拡大波形表示画面１２内の信号波形Ｗ１ｂ，Ｗ２ｂと、カーソル表示１３との少なくとも一方を他方に対してスクロールさせる。
【００３７】
したがって、この波形表示装置１、および波形表示装置１による波形表示方法によれば、カーソル表示１３を移動させるときに、波形表示画面１１内に拡大波形表示画面１２を表示させた状態において、波形表示画面１１内に表示されている比較的小さな表示倍率の信号波形Ｗ１ａ，Ｗ２ａを参照しつつ、カーソル表示１３を所望の位置に近づけるスクロール操作を行い、続いて、拡大波形表示画面１２内に表示される信号波形Ｗ１ｂ，Ｗ２ｂを参照しつつ、カーソル表示１３を所望の位置に位置させるスクロール操作を行うことで、この種の装置の操作に不慣れな利用者であっても、カーソル表示１３を所望の位置に正確かつ容易に位置させることができると共に、波形表示画面１１の全域に信号波形を拡大して表示させなくても、拡大波形表示画面１２内に拡大して表示されている信号波形Ｗ１ｂ，Ｗ２ｂを見て入力信号Ｓｉ１，Ｓｉ２のレベル変化を容易に観察することができる。
【００３８】
また、この波形表示装置１、および波形表示装置１による波形表示方法によれば、「部分拡大表示処理」に際して、拡大波形表示画面１２と重なる時間範囲内の信号波形Ｗ１ａ，Ｗ２ａを拡大波形表示画面１２内の信号波形Ｗ１ｂ，Ｗ２ｂと識別可能に表示する「第１の表示態様」、および拡大波形表示画面１２と重なる時間範囲内の信号波形Ｗ１ａ，Ｗ２ａを非表示とする「第２の表示態様」のいずれかと、拡大波形表示画面１２と重なる時間範囲内の信号波形Ｗ１ａ，Ｗ２ａを拡大波形表示画面１２内の信号波形Ｗ１ｂ，Ｗ２ｂと同じ表示態様で表示する「第３の表示態様」とのいずれか指定された一方で拡大波形表示画面１２を波形表示画面１１に表示させることにより、必要に応じて「第１の表示態様」または「第２の表示態様」を採用することで、拡大波形表示画面１２内の信号波形Ｗ１ｂ，Ｗ２ｂの視認性を十分に向上させることができる。
【００３９】
さらに、この波形表示装置１、および波形表示装置１による波形表示方法によれば、「部分拡大表示処理」によってＮ＝２個の信号波形Ｗ１ｂ，Ｗ２ｂを表示する拡大波形表示画面１２をＮ＝２個の信号波形Ｗ１ａ，Ｗ２ａの一部に重ねて波形表示画面１１に表示させている状態において、予め規定された「第２の操作」によってＮ＝２個の信号波形Ｗ１ｂ，Ｗ２ｂのうちのＭ＝１個が選択されたときに、Ｎ＝２個の信号波形Ｗ１ｂ，Ｗ２ｂのうちのＭ＝１個を除く信号波形Ｗを非表示とすることにより、信号波形Ｗ１ｂ，Ｗ２ｂのいずれか一方を詳細に観察したいときに、他方の波形が、一方の波形の視認性を低下させている場合には、観察すべき一方の波形を選択することで、その一方の波形の視認性を十分に向上させることができる。
【００４０】
なお、「波形表示装置」の構成、および「波形表示方法」の内容については、上記の波形表示装置１の構成、および波形表示装置１による波形表示方法の内容に限定されない。例えば、「波形データ」の元となる物理量は、電圧値や電流値に限定されず、抵抗値、電力値、位相、温度、湿度、輝度（光度）、照度、雨量および流量等の各種の物理量についての波形を表示する構成（方法）を採用することができる。また、測定部２を一体的に備えた波形表示装置１を例に挙げて説明したが、波形表示装置の構成はこれに限定されず、外部装置としての測定装置によって生成された測定データＤ１，Ｄ２に基づく信号波形Ｗを表示させる構成（図示せず）を採用することもできる。さらに、表示部４を一体的に備えた波形表示装置１を例に挙げて説明したが、波形表示装置の構成はこれに限定されず、外部装置としての表示装置に信号波形Ｗを表示させる構成（図示せず）を採用することもできる。
【符号の説明】
【００４１】
１  波形表示装置
２  測定部
３  操作部
４  表示部
５  制御部
６  記憶部
１１  波形表示画面
１２  拡大波形表示画面
１３  カーソル表示
Ｄ１，Ｄ２  測定データ
Ｓｉ１，Ｓｉ２  入力信号
Ｗ１ａ，Ｗ１ｂ，Ｗ２ａ，Ｗ２ｂ  信号波形
【図１】
2014010036.tif 000003
【図２】
2014010036.tif 000004
【図３】
2014010036.tif 000005
【図４】
2014010036.tif 000006
【図５】
2014010036.tif 000007
【図６】
2014010036.tif 000008
【図７】
2014010036.tif 000009